(57)【要約】  アイウェアは、フレームと、フレームに保持され、電気制御により光学特性が変化する光学モジュールと、使用環境に関する情報を取得する感知部と、感知部で取得した情報に基づいて、光学モジュールの光学特性を変化させる制御部とを有し、制御部は、感知部で取得した情報に基づいて、光学特性を変化可能なモードと、光学特性を変化不可能なモードとを切り替え、光学特性を変化可能なモードのときに、光学モジュールの光学特性を変化させる。これにより、使用環境に応じて、光学特性を変化させるかどうかのモードの切り替えが可能なアイウェアを提供する。
2018168570.tif 000002
【特許請求の範囲】
【請求項１】
フレームと、
前記フレームに配置され、電気制御により光学特性が変化する光学モジュールと、
使用環境に関する情報を取得する感知部と、
前記感知部で取得した情報に基づいて、前記光学モジュールの光学特性を変化させる制御部と
を有し、
前記制御部は、前記感知部で取得した情報に基づいて、前記光学特性を変化可能なモードと、前記光学特性を変化不可能なモードとを切り替え、かつ
前記光学特性を変化可能なモードのときに、前記光学モジュールの光学特性を変化させる、
アイウェア。
【請求項２】
前記使用環境に関する情報は、地理的な位置情報、ユーザの活動状態、ユーザの姿勢、前記アイウェアの使用者に対する装着状態、前記アイウェアの傾き、使用環境の光強度、他の装置の検出の有無のうちいずれか一以上である、
請求項１に記載のアイウェア。
【請求項３】
入力操作を受け付ける入力部をさらに有し、
前記光学特性が変化可能なモードは、
前記制御部が、前記感知部で取得した情報が所定の条件を満たしたときに、自動で前記光学特性を変化させるオートモードと、
前記入力部への使用者の入力操作の受け付けによって、前記制御部が前記光学特性を変化させるマニュアルモードと
を有し、
前記制御部は、前記オートモードと前記マニュアルモードのいずれか一方を選択的に実行する、
請求項１または２に記載のアイウェア。
【請求項４】
前記光学特性は、光の透過率または屈折率である、
請求項１〜３のいずれか一項に記載のアイウェア。
【請求項５】
前記光学特性を変化可能なモードは、
前記光学モジュールの第１の光学特性を変化させる第１の光学特性を変化可能なモードと、
前記光学モジュールの第２の光学特性を変化させる第２の光学特性を変化可能なモードとを含む、
請求項１に記載のアイウェア。
【請求項６】
前記光学モジュールは、
前記制御部による制御により前記第１の光学特性が変化する第１の電気活性部と、
前記制御部による制御により前記第２の光学特性が変化する第２の電気活性部とを含む、
請求項５に記載のアイウェア。
【請求項７】
前記制御部は、地理的な位置情報および使用環境の光強度に基づいて、前記光学特性を変化可能なモードと、前記光学特性を変化不可能なモードとを切り替える、
請求項５または６に記載のアイウェア。
【請求項８】
前記第１の光学特性を変化可能なモードは、前記光学モジュールの第１の光学特性を変化させるパターンが異なる複数のモードを含み、
前記光学特性を変化可能なモードのときに、前記制御部は、前記感知部で取得した情報に基づいて、前記複数のモードのうちいずれかのモードへ切り替える、
請求項５〜７のいずれか一項に記載のアイウェア。
【請求項９】
前記制御部は、前記感知部で取得した情報に基づいて、前記光学モジュールの前記第１の光学特性と前記第２の光学特性のそれぞれについて変化可能なモードと変化不可能なモードとを独立して切り替える、
請求項５〜８のいずれか一項に記載のアイウェア。
【請求項１０】
前記制御部は、前記第１の光学特性と前記第２の光学特性の一方についての、変化可能なモードと変化不可能なモードとの切り替え結果に基づいて、前記第１の光学特性と前記第２の光学特性の他方についての、変化可能なモードと変化不可能なモードとを切り替える、
請求項５〜８のいずれか一項に記載のアイウェア。
【請求項１１】
前記第１の光学特性は、透過率であり、
前記第２の光学特性は、屈折率である、
請求項５〜１０のいずれか一項に記載のアイウェア。
【発明の詳細な説明】
【技術分野】
【０００１】
本発明は、アイウェアに関する。
【背景技術】
【０００２】
近年、使用者が装着可能な電子機器（ウェアラブルデバイス）の開発が行われている。【０００３】
たとえば、特許文献１には、眼鏡本体の傾斜角度によって液晶レンズへの電気信号を制御して、焦点距離を自動的に可変にするアイウェア（眼鏡）が記載されている。【０００４】
また、特許文献２には、使用者の視距離、視線または頭の傾きなどを検出して、レンズの焦点距離などを変化させるアイウェアが記載されている。【０００５】
さらに、特許文献３には、光強度センサで使用環境下での光強度を検出し、それに基づいてエレクトロクロミック素子を制御して透過率を変化させ、さらに映像表示部の光源の光強度を調整するサングラスが記載されている。【０００６】
特許文献１や２に記載されるようなアイウェアは、一旦、視力補正機能がオンの状態になると、常にその状態が維持される。同様に、特許文献３に記載されるようなサングラスは、一旦、調光機能がオンの状態になると、常にその状態が維持される。
【先行技術文献】
【特許文献】
【０００７】
【特許文献１】特開昭６２−００９３１５号公報
【特許文献２】米国特許第６５１７２０３号明細書
【特許文献３】特開２０１６−１３９１１６号公報
【発明の概要】
【発明が解決しようとする課題】
【０００８】
しかしながら、アイウェアの使用環境（シチュエーション）によっては、視力補正機能や調光機能が常に維持されると、不都合が生じる場合もある。例えば、常に調光機能が維持された状態で、屋外から屋内に移動すると、屋内では調光機能が強すぎて視界が遮られやすいなどの問題がある。つまり、特許文献３に記載されるようなサングラスは、光強度センサで検出された結果に基づいて透過率を調整することはできても、使用環境に応じて調光機能自体のオン・オフを自動で切り替えることはできない。したがって、使用環境に応じて、たとえば調光機能のオン・オフなどの、光学特性を変化させるかどうかのモードの切り替えが可能なアイウェアが望まれる。【０００９】
上記問題に鑑み、本発明は、使用環境に応じて、光学特性を変化させるかどうかのモードの切り替えが可能なアイウェアを提供することを目的とする。
【課題を解決するための手段】
【００１０】
本発明の一態様は、フレームと、フレームに配置され、電気制御により光学特性が変化する光学モジュールと、使用環境に関する情報を取得する感知部と、感知部で取得した情報に基づいて、光学モジュールの光学特性を変化させる制御部とを有し、制御部は、感知部で取得した情報に基づいて、光学特性を変化可能なモードと、光学特性を変化不可能なモードとを切り替え、かつ光学特性を変化可能なモードのときに、光学モジュールの光学特性を変化させる、アイウェアに関する。
【発明の効果】
【００１１】
本発明によれば、使用環境に応じて、光学特性を変化させるかどうかのモードの切り替えが可能なアイウェアが提供される。
【図面の簡単な説明】
【００１２】
【図１】図１は、本実施形態に係るアイウェアを示す斜視図である。
【図２】図２は、本実施形態に係るアイウェアを示す別の斜視図である。
【図３】図３は、本実施形態に係るアイウェアの機能構成の一例を表すブロック図である。
【図４】図４は、本実施形態に係るアイウェアが有する電気制御型レンズのＡ−Ａ部分の模式断面図である。
【図５】図５は、調光機能およびハイブリッド機能における、アイウェアへの光の照度に対する電気制御型レンズの透過率の関係を示す表である。
【図６】図６は、本実施形態に係るアイウェアの動作例を示すフローチャートである。
【図７】図７は、図６のモードの切り替えを行うときのアイウェアの動作例を示すフローチャートである。
【図８】図８Ａ、ＢおよびＣは、使用環境に応じて光学特性をどのように設定するかをまとめた表である。
【図９】図９は、使用環境に応じて光学特性をどのように設定するかをまとめた表である。
【図１０】図１０は、本実施形態に係るアイウェアの別の動作例を示すフローチャートである。
【図１１】図１１は、本実施形態に係るアイウェアの別の動作例を示すフローチャートである。
【図１２】図１２は、本実施形態に係るアイウェアの機能構成の他の例を示すブロック図である。
【発明を実施するための形態】
【００１３】
以下、本実施形態に係るアイウェアについて説明する。
【００１４】
（アイウェア）
図１および図２は、本実施形態に係るアイウェア１００を示す斜視図である。アイウェアは、例えば、視力補正レンズのようにユーザの視力向上のための補助機構を有するいわゆる眼鏡（電子メガネ、サングラスを含む）やゴーグル、ユーザの視界あるいは眼に対して情報提示を行う機構を有する種々のデバイス（例えば、眼鏡型ウェアラブル端末、ヘッドマウントディスプレイ等）が含まれる。以下の本実施形態では、一対のレンズを有する両目用の電子眼鏡を例に説明するが、本発明に係るアイウェアは、この態様に限定されない。アイウェアは、装着されることにより、眼に対して視力または視界向上のための補助機構や情報提示のための機構を保持する構成であればよく、両方の耳に装着される眼鏡型に限らず、頭部や片方の耳のみに装着される装置であってもよい。また、両眼用ではなく、片眼のみに作用するアイウェアであってもよい。
【００１５】
図１および図２に示すように、アイウェア１００は、フロント１１０および一対のテンプル１２０ａおよび１２０ｂを有するフレーム１３０、入力部１４０、電気制御により光学特性が変化する光学モジュールである一対の電気制御型レンズ１５０、制御部１６０、感知部１７０、ならびに電源１８０を有する。制御部１６０は、例えばＣＰＵ（Central  Processing  Unit）およびＲＡＭ（Random  Access  Memory）、ならびに記憶部としても機能するＲＯＭ（Read  Only  Memory）などが含まれるＣＰＵユニットなどの演算装置１６５やＣＰＵユニットなどの演算装置を含む。ＣＰＵは、アイウェア１００の機能を実行するためのプログラムをＲＯＭから読み出してＲＡＭに展開し、展開したプログラムを実行してアイウェア１００の各機能部の動作を制御する。なお、以下の記載では、一対の電気制御型レンズ１５０が配置されている部分をアイウェア１００の正面（前方）とする。
【００１６】
また、アイウェア１００の機能構成を表すブロック図である図３に示すように、アイウェア１００が備える各機能部は、バスＢにより接続される。
【００１７】
フロント１１０は、一対の電気制御型レンズ１５０を保持する。フロント１１０は、上記一対の電気制御型レンズ１５０をそれぞれ支持する一対のリム１１２と、上記一対のリム１１２を接続するブリッジ１１４と、を有する。リム１１２は、電気制御型レンズ１５０の形状に対応する形状を有する。特に図示しないが、フロント１１０の内部には、電気制御型レンズ１５０とＣＰＵユニット１６５（制御部１６０）とを電気的に接続するための配線が配置されている。
【００１８】
フロント１１０の材料は、特に限定されず、メガネのフロントの材料として使用されている公知の材料とすることができる。フロント１１０の材料の例には、ポリアミド、アセテート、カーボン、セルロイド、ポリエーテルイミドおよびポリウレタンが含まれる。
【００１９】
一対のテンプル１２０ａおよび１２０ｂは、左右対称となるようにフロント１１０に接続された棒状の部材であり、その前端部においてフロント１１０に接続される。一対のテンプル１２０ａおよび１２０ｂの一方（図１および図２では右側のテンプル１２０ａ）には、入力部１４０、ＣＰＵユニット１６５（制御部１６０）、感知部１７０および電源１８０が配置される。
【００２０】
テンプル１２０ａおよび１２０ｂの材料は、特に限定されず、メガネのテンプルの材料として使用されている公知の材料とすることができる。テンプル１２０ａおよび１２０ｂの材料の例には、ポリアミド、アセテート、カーボン、セルロイド、ポリエーテルイミドおよびポリウレタンが含まれる。
【００２１】
入力部１４０は、アイウェアを装着する使用者などからの入力動作を受け付ける。入力部１４０は、テンプル１２０ａの外側かつ前方の領域に、前方から後方に向けて列状に配置された複数の静電容量型のタッチセンサなどでありうる。
【００２２】
一対の電気制御型レンズ１５０は、フレームのフロント１１０に保持された、電圧の印加により光学特性が変化する電気活性部を有するレンズである。それぞれの電気制御型レンズは、球面レンズであってもよいし、非球面レンズであってもよい。それぞれの電気制御型レンズは、電圧の印加によりその焦点距離（度数）および可視光の透過率を変更可能な第１の領域１５０ａと、電圧の印加によりその可視光の透過率を変更可能な第２の領域１５０ｂとを有する。
【００２３】
なお、以下において、電気制御型レンズ１５０は、透過率可変層１５７０（第１の電気活性部）と屈折率可変層１５３０（第２の電気活性部）とを積層する例を示すが、これに限定されない。たとえば、電気制御型レンズ１５０を、電圧の印加によりその焦点距離（度数）および可視光が変化する透過率・屈折率可変部と、電圧の印加によりその可視光の透過率を変更可能な透過率可変部とを組み合わせた単層構成としてもよい。
【００２４】
電気制御型レンズ１５０のＡ−Ａ部分の模式断面図である図４に示すように、第１の領域１５０ａは、後方（使用者側）から、第１の透明基板１５１０、第１の透明電極１５２０、屈折率可変層１５３０（第２の電気活性部）、第２の透明電極１５４０、第２の透明基板１５５０、第３の透明電極１５６０、透過率可変層１５７０（第１の電気活性部）、第４の透明電極１５８０、および第３の透明基板１５９０がこの順に積層されてなる。
【００２５】
なお、特に図示はしないが、第１の透明基板１５１０および第１の透明電極１５２０、または第２の透明基板１５５０および第２の透明電極１５４０は、第１の領域１５０ａにおいてフレネルレンズ形状を有していてもよい。
【００２６】
また、図４に示すように、第２の領域１５０ｂは、後方（使用者側）から、第１の透明基板１５１０、第１の透明電極１５２０、接着層１５３５、第２の透明電極１５４０、第２の透明基板１５５０、第３の透明電極１５６０、電気活性部としての透過率可変層１５７０、第４の透明電極１５８０、および第３の透明基板１５９０がこの順に積層されてなる。
【００２７】
なお、第２の透明電極１５４０と第３の透明電極１５６０とは、共通電極としてもよい。このとき、第２の透明基板１５５０は、その配置を省略することができる。
【００２８】
第１の透明基板１５１０、第２の透明基板１５５０および第３の透明基板１５９０は、アイウェア１００の前方側に向かって凸状となるように湾曲した透明部材である。
【００２９】
第１の透明基板１５１０、第２の透明基板１５５０および第３の透明基板１５９０の材料は、可視光に対する透光性を有していれば特に限定されず、レンズの材料として使用されうる公知の材料とすることができる。第１の透明基板１５１０、第２の透明基板１５５０および第３の透明基板１５９０の材料の例には、ガラスおよび樹脂が含まれる。上記樹脂の例には、ポリメチルメタクリレート、ポリカーボネート、ポリジエチレングリコールビスアリルカーボネートおよびポリスチレンが含まれる。第１の透明基板１５１０、第２の透明基板１５５０および第３の透明基板１５９０の材料は、同一であってもよいし、異なっていてもよい。
【００３０】
第１の透明電極１５２０および第２の透明電極１５４０は、透光性を有する一対の透明電極であり、第３の透明電極１５６０および第４の透明電極１５８０は、透光性を有する一対の透明電極である。
【００３１】
第１の透明電極１５２０および第２の透明電極１５４０は、少なくとも屈折率可変層１５３０に電圧を印加しうる範囲（第１の領域１５０ａ）に配置され、第３の透明電極１５６０および第４の透明電極１５８０は、少なくとも透過率可変層１５７０に電圧を印加しうる範囲（第１の領域１５０ａおよび第２の領域１５０ｂ）に配置される。
【００３２】
第１の透明電極１５２０、第２の透明電極１５４０、第３の透明電極１５６０および第４の透明電極１５８０の材料は、可視光に対する透光性と導電性とを有するものであれば特に限定されない。第１の透明電極１５２０、第２の透明電極１５４０、第３の透明電極１５６０および第４の透明電極１５８０の材料の例には、酸化インジウムスズ（ＩＴＯ）および酸化亜鉛（ＺｎＯ）が含まれる。第１の透明電極１５２０、第２の透明電極１５４０、第３の透明電極１５６０および第４の透明電極１５８０の材料は、同一であってもよいし、異なっていてもよい。
【００３３】
屈折率可変層１５３０は、電圧の印加により可視光の屈折率を変化させる層である。屈折率可変層１５３０の材料の例には、コレステリック液晶およびネマティック液晶などが含まれる。第１の透明電極１５２０および第２の透明電極１５４０によって屈折率可変層１５３０に電圧が印加されると、液晶分子の配向が変化することなどにより、屈折率可変層１５３０の屈折率が可逆的に変化する。そのため、屈折率可変層１５３０は、電圧の印加により、第１の領域１５０ａの焦点距離（度数）を変化させる。
【００３４】
透過率可変層１５７０は、電圧の印加によって可視光の透過率を変化させる層である。透過率可変層１５７０の材料の例には、エレクトロクロミック素子およびゲスト−ホスト液晶などが含まれる。第３の透明電極１５６０および第４の透明電極１５８０によって透過率可変層１５７０に電圧が印加されると、供給された電子による酸化還元反応や、液晶分子の配向の変化などにより、透過率可変層１５７０の透過率が可逆的に変化する。そのため、透過率可変層１５７０は、電圧の印加により、第１の領域１５０ａおよび第２の領域１５０ｂの可視光の透過率を変化させる。
【００３５】
接着層１５３５は、第２の領域１５０ｂにおいて、第１の透明基板１５１０と第２の透明基板１５５０との間に配置されて、第１の透明基板１５１０と第２の透明基板１５５０とを接着する。第１の透明電極１５２０および第２の透明電極１５４０が、第２の領域１５０ｂにも配置される場合には、接着層１５３５は、第１の透明電極１５２０と第２の透明電極１５４０との間に配置される。また、接着層１５３５は、屈折率可変層１５３０を構成する材料を封止する機能も有する。接着層１５３５の材料は、可視光に対する透光性を有する、接着剤の硬化物であれば特に限定されない。
【００３６】
感知部１７０は、アイウェア１００の位置を測定可能な位置検出センサ（例えばＧｌｏｂａｌ  Ｐｏｓｉｔｉｏｎｉｎｇ  Ｓｙｓｔｅｍ；ＧＰＳ）；光の照度を感知する照度センサ；自然光と蛍光とを識別して感知する撮像素子（例えばカメラ）；Ｂｌｕｅｔｏｏｔｈ（「Ｂｌｕｅｔｏｏｔｈ」はＢｌｕｅｔｏｏｔｈ  ＳＩＧの登録商標）などでスマートフォンなどの所定のモバイル機器と接続可能な通信モジュール；使用者が近傍にいることを感知する近接センサ；接触センサ；アイウェア１００を装着した使用者の移動状態や姿勢、アイウェア１００の装着状態などを感知する加速度センサ、角速度センサまたはジャイロセンサ；あるいは、水平軸に対する鉛直下方へのアイウェア１００の傾斜角度を感知する傾斜センサなどを有する。
【００３７】
そして、感知部１７０は、使用環境に関する情報、具体的には、使用者の位置情報（屋内、屋外、自宅、道路など）、使用環境の光強度や光源（自然光、蛍光灯など）、他の装置の検出の有無（所定のモバイル機器が近傍にあるかどうかなど）などの外的環境に関する情報や；使用者の活動状態（静止、歩行、運動、移動など）、使用者の姿勢（着座、起立、仰向けなど）、アイウェアの装着状態（着脱など）、アイウェアの傾き（前傾、水平、後傾など）などの使用者の状態に関する情報を取得する。中でも、地理的な位置情報および使用環境の光強度を取得することが好ましい。
【００３８】
感知部１７０は、取得した使用環境に関する情報を、制御部１６０に出力する。
【００３９】
制御部１６０は、感知部１７０または入力部１４０で取得した情報に基づいて、電気制御型レンズ１５０の光学特性（屈折率又は透過率）を変化可能なモードと、光学特性を変化不可能なモードとを切り替える。そして、制御部１６０は、電気制御型レンズ１５０の光学特性を変化可能なモードのときに、電気制御型レンズ１５０の光学特性を変化させる。
【００４０】
「変化可能なモード」とは、例えば、制御部１６０が、入力部１４０や感知部１７０からの入力に応じて、電気制御型レンズ１５０の光学特性（屈折率又は透過率）を変化させる状態にあることをいう。また、「変化不可能なモード」とは、例えば、感知部１７０または入力部１４０が入力を検出できない状態、あるいは、制御部１６０が入力部１４０や感知部１７０からの入力に応じて、電気制御型レンズ１５０の光学特性（屈折率又は透過率）を変化させない状態にあることをいう。
「変化可能なモード」においては、制御部１６０は、感知部１７０により検出された外部環境や、入力部１４０に対するユーザの操作に応じて、光学特性を変化させる。つまり、「変化可能なモード」においては、感知部１７０により検出された外部環境や、入力部１４０に対するユーザの操作に応じて、光学特性により発現する機能がオン・オフされる、ということもできる。
一方で、「変化不可能なモード」においては、感知部１７０または入力部１４０はオフ状態やスリープ状態であるか、あるいは、感知部１７０または入力部１４０が入力を検出したとしても、制御部１６０は光学特性の変化をさせることは無い。つまり、「変化不可能なモード」においては、光学特性により発現する機能が一定のまま変化しない（例えば、機能がオフ状態のまま）ことになる。
【００４１】
具体的には、制御部１６０は、電気制御型レンズ１５０の第１の透明電極１５２０、第２の透明電極１５４０、第３の透明電極１５６０および第４の透明電極１５８０、ならびに入力部１４０および感知部１７０に電気的に接続されている。制御部１６０は、感知部１７０が取得した情報に基づいて、電気制御型レンズ１５０の光学特性を変化可能なモードと変化不可能なモードとを切り替えるかどうかを判断する。そして、制御部１６０が、電気制御型レンズ１５０の光学特性について、変化可能なモードと変化不可能なモードとの切り替えが必要と判断したときに、第１の透明電極１５２０、第２の透明電極１５４０、第３の透明電極１５６０および第４の透明電極１５８０のいずれかに電圧を印加して、電気制御型レンズ１５０の光学特性（屈折率または透過率）についての、変化可能なモードと変化不可能なモードとを切り替える。そして、電気制御型レンズ１５０の光学特性（屈折率または透過率）を変化可能なモードを選択したときに、制御部１６０は、感知部１７０で取得した情報に基づいて、または入力部１４０への使用者の入力受け付けにより、電気制御型レンズ１５０の光学特性を変化させる。
【００４２】
電気制御型レンズ１５０の光学特性についての、変化可能なモードと変化不可能なモードとの切り替えは、基本的にはオート（自動）で行うが、必要に応じてマニュアル（手動）で行うことを選択できるようにしてもよい。具体的には、制御部１６０は、感知部１７０で取得した情報が所定の条件を満たしたときに、光学特性を変化可能なモードと変化不可能なモードとを切り替えること（オートでのモード切り替え）が好ましいが、入力部１４０で使用者の入力操作を受け付けたときに、光学特性を変化可能なモードと変化不可能なモードとを切り替えられること（マニュアルでのモード切り替え）を選択できるようにしてもよい。
【００４３】
マニュアルでのモード切り替えを行うかどうかの選択は、デフォルト設定されてもよいし、使用者の入力操作により設定されてもよいし、制御部１６０の判断により設定されてもよい。使用者の入力操作は、制御部１６０がモードの切り替えが必要と判断したときのみ受け付けてもよいし、それとは無関係の任意のタイミングで受け付けてもよい。
【００４４】
制御部１６０が、光学特性を変化可能なモードを選択したとき、光学特性（パラメータ）の調整は、オートで行ってもよいし、マニュアルで行ってもよい。具体的には、光学特性が変化可能なモードには、制御部１６０が、感知部１７０で取得した情報に応じて光学特性を変化させるオートモード（オン・オートモードともいう）と、使用者の入力操作の受け付けによって光学特性を変化させるマニュアルモード（オン・マニュアルモードともいう）とが含まれ、いずれか一方を選択的に実行できるようになっていることが好ましい。中でも、制御部１６０が、光学特性を変化可能なモードを選択したとき、感知部１７０で取得した情報に応じて、光学特性を変化させるオートモード（オン・オートモード）を実行することが好ましい。
【００４５】
光学特性の調整をオートで行うかマニュアルで行うかの選択は、デフォルト設定されてもよいし、使用者の入力操作により設定されてもよいし、制御部１６０の判断により設定されてもよい。使用者の入力操作は、制御部１６０がモードの切り替えが必要と判断したときのみ受け付けてもよいし、それとは無関係の任意のタイミングで受け付けてもよい。
【００４６】
本実施形態において、制御部１６０が変化させる光学特性の種類には、透過率および屈折率が含まれる。制御部１６０は、これらの光学特性のうち一方のみを変化させてもよいし、両方を変化させてもよい。つまり、制御部１６０は、電気制御型レンズ１５０の透過率を変化させて調光を行いうる調光機能、電気制御型レンズ１５０の屈折率を変化させて視力補正を行いうる視力補正機能、ならびに電気制御型レンズ１５０の透過率および屈折率の両方を変化させうるハイブリッド機能を有しうる。
【００４７】
中でも、光学特性を変化可能なモードは、電気制御型レンズ１５０の透過率（第１の光学特性）を変化させる透過率（第１の光学特性）を変化可能なモードと、電気制御型レンズ１５０の屈折率（第２の光学特性）を変化させる屈折率（第２の光学特性）を変化可能なモードとを含むことが好ましい。中でも、制御部１６０は、地理的な位置情報および使用環境の光強度に基づいて、光学特性を変化可能なモードと、光学特性を変化不可能なモードとを切り替えることが好ましい。
【００４８】
制御部１６０が光学特性を変化可能なモードを選択したとき、制御部１６０は、電気制御型レンズ１５０の光学特性をオン・オフの２段階で変化させてもよいし、３段階以上の段階で変化させてもよい。たとえば、本実施形態において、調光機能およびハイブリッド機能は、アイウェア１００への光の照度に対する電気制御型レンズ１５０の透過率を、図５に示すように多段階に変化させる調光機能を有しうる。
【００４９】
制御部１６０が光学特性を変化不可能なモードを選択したとき、制御部１６０は、電気制御型レンズ１５０の光学特性をそのまま維持してもよいし、光学特性をデフォルト値に変化させた上で、このデフォルト値を維持するようにしてもよい。
【００５０】
電源１８０は、テンプル１２０ａの後端部に着脱可能に保持される充電式のバッテリーパックであり、入力部１４０、制御部１６０および感知部１７０などの電力を消費する機能部に電力を供給する。電源１８０の例には、ニッケル水素充電池が含まれる。
【００５１】
（アイウェアの使用例）
図６は、本実施形態において、使用環境に応じて、電気制御型レンズ１５０の光学特性について変化可能なモード（機能オンモード）と変化不可能なモード（機能オフモード）とをオートで切り替えるときの、アイウェア１００の動作例を示すフローチャートである。図７は、電気制御型レンズ１５０の光学特性についてのモードを切り替えるときの、アイウェア１００の動作例を示すフローチャートである。
なお、本実施形態において、「光学特性を変化可能なモード」は、上述した通り、光学特性により発現される機能がオン可能な状態にあるため、「機能オンモード」と呼ぶ。「光学特性を変化不可能なモード」は、ここでは機能がオフされた状態のままであるモードを例として、「機能オフモード」と呼ぶことにする。
【００５２】
（１）調光機能に関するモードの切り替え
図６、７および図８Ａを参照しながら、使用環境（特に外的環境）に応じて、電気制御型レンズ１５０の透過率について変化可能なモード（調光機能オンモード）と変化不可能なモード（調光機能オフモード）とをオートで切り替える（調光機能のモードをオートで切り替える）例について説明する。
本実施形態において、「調光機能オンモード」とは、取得された地理的な位置情報及び光強度に応じて、電気制御型レンズ１５０の電気活性部の透過率を変化させるモードであり、「調光機能オフモード」とは、電気制御型レンズ１５０の電気活性部の透過率を変化させないモード、例えば電気活性部の透過率を高い状態（例えば９０％以上の所定値）のまま変化させないモードをいう。
【００５３】
図８Ａは、外的環境に応じて、アイウェア１００の調光機能をどのように設定するかをまとめた表である。図８Ａでは、たとえば、光強度が所定値よりも強いとき（場所が屋外か屋内に関係なく）や、光強度が所定値よりも弱くても場所が屋外であるときは、調光機能オンモードに設定し、光強度が所定値よりも弱く、かつ場所が屋内であるときは、調光機能オフモードに設定する。
図６に示す動作は、たとえば、電源１８０の取り付けによって入力部１４０、制御部１６０および感知部１７０がオン状態になることにより開始される。
【００５４】
まず、制御部１６０は、現在のモードを判別する（ステップＳ１１０）。たとえば、制御部１６０に含まれる記憶部であるＲＡＭには、アイウェア１００が実行可能な複数のモードのうち、現在実行しているモードが記憶されている。制御部１６０は、ＲＯＭから現在実行しているモードを読み出して、現在のモードを判別する。
【００５５】
次いで、制御部１６０は、感知部１７０から使用環境に関する情報を取得し、所定の判別処理を行う（ステップＳ１２０）。具体的には、制御部１６０は、位置検出センサ（ＧＰＳ）より取得したアイウェア１００の地理的な位置情報を、事前に取得した地図データベースと照合することにより、アイウェア１００が屋内あるいは屋外にあるかを判別する。また、取得した光強度センサからの出力を所定の閾値と比較することにより、使用環境の光強度（強いか弱いかなど）を判別する（図８Ａ参照）。
ここで、制御部１６０は、位置検出センサから取得した地理的な位置情報及びこれに基づいて判別された屋内あるいは屋外にあるかを示す情報、光強度センサから取得した使用環境の光強度及びこれに基づいて判別された光強度の強弱に関する情報を、これらが取得された時間と関連付けてＲＡＭに記録する。そして、制御部１６０は、本ステップにて取得した、使用環境に関する情報及びその判別結果と、ＲＡＭから読み出した、過去に取得された使用環境に関する情報及びその判別結果とを比較することにより、所定の判別処理を行う。
【００５６】
次いで、制御部１６０は、感知部１７０で取得した情報に基づいて、調光機能のモードの切り替えが必要かどうかを判断する（ステップＳ１３０）。
たとえば、制御部１６０は、ステップＳ１２０の結果に基づき、アイウェア１００の使用環境が、光強度は弱いままで場所が屋内から屋外へと変化したことを判別した場合（図８Ａの右上欄→右下欄）、調光機能オフモードから調光機能オンモードへの切り替えが必要と判断する（判断１）。光強度は弱いものの、場所が屋外であることから、調光機能をオンすることで光の透過率を低くし、急な日差しから使用者の眼を守ることが可能となる。
一方、制御部１６０は、ステップＳ１２０の結果に基づき、アイウェア１００の使用環境が、光強度が弱い状態から強い状態に変化し、かつ、場所が屋外から屋内へと変化したことを判別した場合（図８Ａの右下欄→左上欄）、調光機能オフモードへの切り替えは行わずに、調光機能オンモードを維持する（判断２）。屋内ではあるものの、光強度が強いため、調光機能を継続してオンすることにより、使用者の眼を守ることができる。
【００５７】
なお、本ステップＳ１３０では、ステップＳ１２０にて取得した過去に取得された使用環境に関する情報と現在取得した使用環境とを比較して、環境の変化を判別することとしたが、これに限られない。例えば、過去に取得された使用環境に関する情報は用いずに、図８Ａに示した表に従って現在取得した使用環境に関する情報に基づいてモードの切り替えを判断するようにしてもよい。
【００５８】
ステップＳ１３０において、制御部１６０が調光機能のモードの切り替えが必要と判断したとき、制御部１６０は、感知部１７０で取得した情報が除外条件に該当しないかどうかをさらに判断する（ステップＳ１４０）。除外条件としては、例えば、運転中であること、階段を移動中であることなどが挙げられる。制御部１６０は、感知部１７０で取得した情報に基づいて、除外条件に該当するか否かを確認する。
【００５９】
ステップＳ１４０において、制御部１６０が除外条件に該当しないと判断したとき、制御部１６０は、調光機能のモードを切り替える（ステップＳ１５０）。たとえば、ステップＳ１３０において、制御部１６０が前述の判断１を行った場合、制御部１６０は、調光機能のモードをオフからオンに切り替える（図８Ａの右上欄→右下欄）。調光機能のモードを切り替えるときの動作（ステップＳ１５０）については後述する。
【００６０】
一方、ステップＳ１３０において、制御部１６０が調光機能のモードの切り替えが不要と判断したとき、又はステップＳ１４０において、制御部１６０が、感知部１７０で取得した情報が除外条件に該当すると判断したとき、制御部１６０は、使用者からのモード切り替えの入力操作を受け付けたかどうかをさらに判断する（ステップＳ１７０）。
【００６１】
ステップＳ１７０において、制御部１６０が、使用者から入力部１４０への入力操作を受け付けたと判断したとき、制御部１６０は、調光機能のモードを切り替える（ステップＳ１５０）。例えば、入力部１４０はタッチセンサであり、使用者によるタッチ操作に基づいて、調光機能のモードを切り替える。一方、制御部１６０が、使用者からの入力操作を受け付けなかったと判断したとき、処理は、ステップＳ１６０に遷移する。
【００６２】
たとえば、ステップＳ１３０において、制御部１６０が前述の判断２を行った場合、制御部１６０は、使用者の指示の受け付けがない限り、調光機能のモードの切り替えは行わず、処理はステップＳ１６０に遷移し、調光機能オンモードを維持する（図８Ａの右下欄→左上欄）。
【００６３】
ステップＳ１５０において、調光機能のモードの切り替えを行った後、切り替えた調光機能のモードをＲＯＭに記録し、制御部１６０は、処理完了するかどうかを判断する（ステップＳ１６０）。制御部１６０は、予め定められた、処理を終了させる条件が満たされているときは、処理を終了させる必要があると判断する。一方、上記条件が満たされていないときは、処理を終了させる必要がないと判断する。判断の結果、処理を終了させる必要がある場合は、図６における処理を終了する。一方、処理を終了させる必要がない場合は、処理はステップＳ１１０の前に戻る。
【００６４】
次に、調光機能のモードを切り替えるときの動作（ステップＳ１５０）について、図７を参照しながら説明する。
【００６５】
ステップＳ１５１において、制御部１６０が、調光機能のモードを切り替える。次いで、制御部１６０は、切り替え後のモードが調光機能オンモードであるかどうかを判断する（ステップＳ１５２）。
【００６６】
例えば、「調光機能オンモード」には２つの種類のモードが存在する。１つは、電気制御型レンズ１５０の電気活性部の透過率の調整（パラメータの調整）を使用者の入力操作によらず自動で行うモード「調光機能オン・オートモード」と、使用者の入力操作に応じて電気制御型レンズ１５０の電気活性部の透過率の調整を行う「調光機能オン・マニュアルモード」である。
【００６７】
ステップＳ１５２において、制御部１６０が、切り替え後のモードが調光機能オンモードであると判断したとき、制御部１６０は、電気制御型レンズ１５０の電気活性部の透過率の調整（パラメータの調整）をオートで行うモードかどうか（「調光機能オン・オートモード」であるかどうか）をさらに判断する（ステップＳ１５３）。
【００６８】
ステップＳ１５３において、制御部１６０が「調光機能オン・オートモード」であると判断したとき、制御部１６０は、感知部１７０で取得した情報が所定の条件を満たしたときに、電気制御型レンズ１５０の透過率の調整を行う（ステップＳ１５４）。
【００６９】
ステップＳ１５３において、制御部１６０が透過率の調整をオートで行うモードではない（調光機能オン・マニュアルモードである）と判断したとき、制御部１６０は、入力部１４０からの使用者の入力指示に応じて、電気制御型レンズ１５０の透過率の調整を行う（ステップＳ１５５）。
【００７０】
ステップＳ１５２において、制御部１６０が、切り替え後のモードが調光機能オフモードであると判断したとき、制御部１６０は、電気制御型レンズ１５０の透過率をデフォルト値に変更する（ステップＳ１５６）。そして、処理は、図６のステップＳ１５０に戻る。
【００７１】
たとえば、ステップＳ１５１において、調光機能のモードを切り替えたとき、ステップＳ１５２において、制御部１６０が、切り替え後のモードが調光機能オンモードであるかどうかを判断する。制御部１６０が、切り替え後のモードが調光機能オンモードであると判断すると、ステップＳ１５３において、制御部１６０が、透過率をオートで調整するかどうか（「調光機能オン・オートモード」であるかどうか）をさらに判断し、制御部１６０が透過率をオートで調整する（「調光機能オン・オートモード」である）と判断したときは、感知部１７０で取得した情報に基づいて透過率を変化させて、たとえば透過率５０％とする。この後も、感知部１７０の情報に応じて透過率を変化させうる。
【００７２】
一方、ステップＳ１５３において、制御部１６０が、透過率の調整をオートで行うモードではない（調光機能オン・マニュアルモードである）と判断したときは、使用者の入力指示に基づいて透過率を変化させて、たとえば透過率５０％とする。この後も、入力部１４０への使用者からの入力指示に応じて透過率を変化させうる。
【００７３】
また、ステップＳ１５２において、制御部１６０が、切り替え後のモードが調光機能オフモードであると判断すると、ステップＳ１５６において、制御部１６０が、たとえば透過率の高い（例えば１００％に近い値）のデフォルト値に変化させて、透明なアイウェアとする。この後も、モードの変更がない限りは、制御部１６０は、透過率を変化させない。
【００７４】
（２）視力補正機能に関するモードの切り替え
図６、７および８Ｂを参照しながら、使用環境（特に外的環境）に応じて、電気制御型レンズ１５０の屈折率について変化可能なモードと変化不可能なモードとをオートで切り替える（視力補正機能のモードを自動で切り替える）例を説明する。
本実施形態において、「視力補正機能オンモード」とは、取得された地理的な位置情報及び光強度に応じて、電気制御型レンズ１５０の電気活性部の屈折率を変化させるモードであり、「視力補正機能オフモード」とは、電気制御型レンズ１５０の電気活性部の屈折率を変化させないモードをいう。
【００７５】
図８Ｂは、外的環境に応じて、アイウェアの視力補正機能に関するモードをどのように設定するかをまとめた表である。図８Ｂでは、たとえば、（光強度が所定値よりも強いか弱いかに関係なく）場所が屋内であるときは、視力補正機能オンモードに設定し、（光強度が所定値よりも強いか弱いかに関係なく）場所が屋外であるときは、視力補正機能オフモードに設定する。
【００７６】
ステップＳ１１０およびＳ１２０は、前述と同様である。
【００７７】
ステップＳ１３０において、制御部１６０は、感知部１７０で取得した情報に基づいて、視力補正機能のモードの切り替えが必要かどうかを判断する。
たとえば、制御部１６０は、ステップＳ１２０の結果に基づき、アイウェア１００の使用環境が、屋外から屋内へと変化したことを判別した場合（図８Ｂの下欄→上欄）、視力補正機能オフモードから視力補正機能オンモードへの切り替えが必要と判断する（判断３）。場所が屋内であることから、視力補正機能をオンすることで屈折率を調整し、屋内での視認性を高めることが可能となる。
一方、制御部１６０は、ステップＳ１２０の結果に基づき、アイウェア１００の使用環境が、光強度が強い状態から弱い状態に変化し、かつ、場所が屋内であることを判別した場合（図８Ｂの左上欄→右上欄）、視力補正機能オフモードへの切り替えは行わずに、視力補正機能オンモードを維持する（判断４）。屋内ではあることから、視力補正機能を継続してオンすることにより、使用者の視野を確保することができる。
【００７８】
ステップＳ１３０において、制御部１６０が視力補正機能のモードの切り替えが必要と判断したとき、制御部１６０は、前述と同様に、感知部１７０で取得した情報が除外条件に該当しないかどうかをさらに判断し（ステップＳ１４０）、制御部１６０が除外条件に該当しないと判断したとき、制御部１６０は、視力補正機能のモードを切り替える（ステップＳ１５０）。たとえば、ステップＳ１３０において、制御部１６０が前述の判断３を行った場合、制御部１６０は、視力補正機能のモードをオフからオンに切り替える（図８Ｂの下欄→上欄）。その後、処理は、ステップＳ１６０に遷移する。
【００７９】
一方、ステップＳ１３０において、制御部１６０が視力補正機能のモードの切り替えが不要と判断したとき、又はステップＳ１４０において、制御部１６０が、感知部１７０で取得した情報が除外条件に該当すると判断したとき、処理はステップＳ１７０に遷移する。たとえば、ステップＳ１３０において、制御部１６０が前述の判断４を行った場合、制御部１６０は、視力補正機能のモードの切り替えは行わず、視力補正機能オンモードを維持する（図８Ｂの左上欄→右上欄）。
【００８０】
ステップＳ１６０およびＳ１７０は、それぞれ前述と同様である。
【００８１】
また、視力補正機能のモードを切り替えるときの動作（ステップＳ１５０）では、前述と同様の要領で行うことができる。
たとえば、ステップＳ１５１において、視力補正機能のモードを切り替えたとき、ステップＳ１５２において、制御部１６０が、切り替え後のモードが視力補正機能オンモードであるかどうかを判断する。
例えば、「視力補正機能オンモード」には２つの種類のモードが存在する。１つは、電気制御型レンズ１５０の電気活性部の屈折率の調整（パラメータの調整）を使用者の入力操作によらず自動で行うモード「視力補正機能オン・オートモード」と、使用者の入力操作に応じて電気制御型レンズ１５０の電気活性部の屈折率の調整を行う「視力補正機能オン・マニュアルモード」である。
【００８２】
制御部１６０が、切り替え後のモードが視力補正機能オンモードであると判断すると、ステップＳ１５３において、制御部１６０が、屈折率をオートで調整するかどうか（「視力補正機能オン・オートモード」であるかどうか）をさらに判断し、制御部１６０が「視力補正機能オン・オートモード」であると判断したときは、感知部１７０で取得した情報に基づいて屈折率を変化させる。この後も、感知部１７０で取得した情報に基づいて屈折率を変化させうる。
【００８３】
一方、ステップＳ１５３において、制御部１６０が、「視力補正機能オン・オートモード」ではない（視力補正機能オン・マニュアルモードである）と判断したときは、使用者の入力指示に基づいて屈折率を変化させる。この後も、入力部１４０への使用者からの入力指示に応じて屈折率を変化させうる。
【００８４】
また、ステップＳ１５２において、制御部１６０が、切り替え後のモードが視力補正機能オフモードであると判断すると、ステップＳ１５６において、制御部１６０が、屈折率をたとえばデフォルト値に変化させる。この後も、制御部１６０は、屈折率を変化させない。
【００８５】
（３）調光機能と視力補正機能の併用したモードの切り替え（その１）
図６、７および８Ｃを参照しながら、使用環境（特に外的環境）に応じて、電気制御型レンズ１５０の透過率と屈折率の両方について、変化可能なモードと変化不可能なモードとをそれぞれオートで切り替える（調光機能と視力補正機能の両方のモードをそれぞれオートで切り替える）例を説明する。
本実施形態において、「調光機能オンモード」、「調光機能オフモード」とは、前述の（１）の「調光機能オンモード」、「調光機能オフモード」とそれぞれ同義であり、「視力補正機能オンモード」、「視力補正機能オフモード」とは、前述の（２）の電気制御型レンズ１５０の「視力補正機能オンモード」、「視力補正機能オフモード」とそれぞれ同義である。
【００８６】
図８Ｃは、外的環境に応じて、アイウェア１００の調光機能と視力補正機能をそれぞれどのように設定するかをまとめた表である。図８Ｃでは、たとえば光強度が所定値よりも強いとき（場所が屋外か屋内に関係なく）や、光強度が所定値よりも弱くても場所が屋外であるときは、調光機能オンモードに設定し、光強度が所定値よりも弱く、かつ場所が屋内であるときは、調光機能オフモードに設定する。また、（光強度が所定値よりも強いか弱いかに関係なく）場所が屋内であるときは、視力補正機能オンモードに設定し、（光強度が所定値よりも強いか弱いかに関係なく）場所が屋外であるときは、視力補正機能オフモードに設定する。
【００８７】
ステップＳ１１０およびＳ１２０は、前述と同様である。
【００８８】
ステップＳ１３０では、制御部１６０は、感知部１７０で取得した情報に基づいて、調光機能と視力補正機能のそれぞれについて、モードの切り替えが必要かどうかを判断する。
【００８９】
たとえば、制御部１６０は、ステップＳ１２０の結果に基づき、アイウェア１００の使用環境が、光強度は弱いままで場所が屋外から屋内へと変化したことを判別した場合（図８Ｃの右下欄→右上欄）、調光機能オンモードから調光機能オフモードへの切り替え、視力補正機能オフモードから視力補正機能オンモードへの切り替えがそれぞれ必要と判断する（判断５）。場所が屋内であることから、調光機能をオフとし、視力補正機能をオンすることで、使用者の屋内での視野を確保することが可能となる。
【００９０】
また、制御部１６０は、ステップＳ１２０の結果に基づき、アイウェア１００の使用環境が、光強度は弱い状態から強い状態へ変化し、かつ、場所が屋外から屋内に変化したことを判別した場合（図８Ｃの右下欄→左上欄）、調光機能オフモードへの切り替えは行わずに、調光機能オンモードを維持するとともに；視力補正機能オフモードから視力補正機能オンモードへの切り替えが必要と判断する（判断６）。場所が屋内ではあるものの、光強度が強いことから、調光機能をオンのまま維持し、視力補正機能をオンすることで、使用者の屋内での視野を確保することが可能となる。
【００９１】
ステップＳ１３０において、制御部１６０が調光機能と視力補正機能のそれぞれについてモードの切り替えが必要と判断したとき、制御部１６０は、感知部１７０で取得した情報が除外条件に該当しないかどうかをさらに判断する（ステップＳ１４０）。そして、制御部１６０が除外条件に該当しないと判断したとき、制御部１６０は、調光機能と視力補正機能のモードをそれぞれ切り替える（ステップＳ１５０）。
たとえば、ステップＳ１３０において、制御部１６０が前述の判断５を行った場合、調光機能のモードをオンからオフに切り替え、視力補正機能のモードをオフからオンに切り替える（図８Ｃの右下欄→右上欄）。その後、処理は、ステップＳ１６０に遷移する。
【００９２】
一方、ステップＳ１３０において、制御部１６０が調光機能と視力補正機能のそれぞれについてモードの切り替えが不要と判断したとき、又はステップＳ１４０において、制御部１６０が、感知部１７０で取得した情報が除外条件に該当すると判断したとき、処理はステップＳ１７０に遷移する。
【００９３】
たとえば、ステップＳ１３０において、制御部１６０が前述の判断６を行った場合、調光機能のモードついては、処理はステップＳ１７０に遷移し、使用者からのモード切り替えの指示を受け付けない限り、ステップＳ１６０に遷移する。そして、制御部１６０は、ステップＳ１６０において処理を終了させるか、ステップＳ１１０の前に戻り、調光機能オンモードを維持する（図８Ｃの右下欄→左上欄）。一方、視力補正機能のモードについては、前述と同様に、オフからオンに切り替える（図８Ｃの右下欄→左上欄）。その後、処理は、ステップＳ１６０に遷移する。
【００９４】
ステップＳ１６０とＳ１７０は、前述とそれぞれ同様である。
【００９５】
また、調光機能と視力補正機能のモードをそれぞれ切り替えるときの動作（ステップＳ１５０）も、それぞれ前述と同様である。
たとえば、ステップＳ１５１において、調光機能と視力補正機能のモードをそれぞれ切り替えたとき、ステップＳ１５２において、制御部１６０が、調光機能と視力補正機能の切り替え後のモードがそれぞれ機能オンモードであるかどうかを判断する。
制御部１６０が、調光機能と視力補正機能の切り替え後のモードがそれぞれ機能オンモードであると判断すると、ステップＳ１５３において、制御部１６０が、透過率と屈折率をそれぞれオートで調整するかどうか（機能オン・オートモードであるかどうか）をさらに判断し、制御部１６０が透過率と屈折率をそれぞれオートで調整するモードである（機能オン・オートモードである）と判断したときは、感知部１７０で取得した情報に基づいて透過率と屈折率をそれぞれ変化させる。この後も、感知部１７０の情報に応じて透過率と屈折率を変化させうる。
【００９６】
一方、ステップＳ１５３において、制御部１６０が、透過率と屈折率をオートで調整するモードではない（機能オン・マニュアルモードである）と判断したときは、入力部１４０への使用者からの入力指示に基づいて透過率と屈折率をそれぞれ変化させる。この後も、入力部１４０への使用者からの入力指示に応じて透過率と屈折率を変化させうる。
【００９７】
また、ステップＳ１５２において、制御部１６０が、調光機能と視力補正機能の切り替え後のモードが機能オフモードであると判断すると、ステップＳ１５６において、制御部１６０が、透過率と屈折率をデフォルト値にそれぞれ変化させる。この後も、制御部１６０は、透過率と屈折率を変化させない。
【００９８】
（４）調光機能と視力補正機能の併用したモードの切り替え（その２）
図６、７および９を参照しながら、使用環境（外的環境と使用者の活動状態）に応じて、電気制御型レンズ１５０の透過率と屈折率の両方について、変化可能なモードと変化不可能なモードとをそれぞれオートで切り替える（調光機能と視力補正機能の両方のモードをそれぞれオートで切り替える）例を説明する。
【００９９】
図９は、外的環境と使用者の活動状態に応じて、アイウェア１００の調光機能と視力補正機能をどのように設定するかをまとめた表である。図９では、たとえば場所が屋内であり、かつ使用者の活動状態が静止状態であるときは、調光機能オンモードに設定し、それ以外の場合（場所が屋内であっても使用者の活動状態が歩行中であるときや場所が屋外であるとき）は、調光機能オフモードに設定し、場所が屋内であっても使用者の活動状態が歩行中であるときや、場所が屋外であるときは、視力補正機能オフモードに設定する。
【０１００】
ステップＳ１１０は、前述と同様である。
【０１０１】
ステップＳ１２０において、制御部１６０は、感知部１７０から使用環境に関する情報を取得し、所定の判別処理を行う。具体的には、位置検出センサ（ＧＰＳ）により取得したアイウェア１００の地理的な位置情報（屋内か屋外かなど）を、事前に取得した地図データベースと照合することにより、アイウェア１００が屋内あるいは屋外にあるかを判別する。また、取得した加速度センサと位置検出センサ（ＧＰＳ）からの出力を所定の閾値と比較することにより、使用者の活動状況（静止、歩行中、運転中）を判別する。
ここで、制御部１６０は、位置検出センサから取得した地理的な位置情報及びこれに基づいて判別された屋内あるいは屋外にあるかを示す情報、加速度センサと位置検出センサから取得した使用者の活動状況に関する情報を、これらが取得された時間と関連付けてＲＡＭに記録する。そして、制御部１６０は、本ステップにて取得した、使用環境に関する情報及びその判別結果と、ＲＡＭから読み出した、過去に取得された使用環境に関する情報及びその判別結果とを比較することにより、所定の判別処理を行う。
【０１０２】
ステップＳ１３０において、制御部１６０は、感知部１７０で取得した情報に基づいて、調光機能と視力補正機能のそれぞれについて、モードの切り替えが必要かどうかを判断する。
たとえば、制御部１６０は、ステップＳ１２０の結果に基づき、アイウェア１００の使用環境が、使用者の活動状態が歩行中の状態から静止の状態に変化し、かつ場所が屋外から屋内に変化したことを判別した場合（図９の中央下欄→左上欄）、調光機能オンモードから調光機能オフモードへの切り替えと、視力補正機能オフモードから視力補正機能オンモードへの切り替えが必要と判断する（判断７）。場所が屋内であり、使用者の活動状態が静止状態であることから、調光機能をオフし、視力補正機能をオンすることで、使用者の屋内での視野を確保することが可能となる。
一方、制御部１６０は、ステップＳ１２０の結果に基づき、アイウェア１００の使用環境が、使用者の活動状態が歩行中から運転中に変化し、かつ、場所が屋外であることを判別した場合（図９の中央下欄→右下欄）、調光機能オフモードへの切り替えや、視力補正機能オンモードへの切り替えは行わず、調光機能オンモード、視力補正機能オフモードを継続する（判断８）。屋外ではあることから、調光機能を継続してオンすることにより使用者の眼を守ることができる。
なお、本ステップＳ１３０では、ステップＳ１２０にて取得した過去に取得された使用環境に関する情報と現在取得した使用環境とを比較して、環境の変化を判別することとしたが、これに限られない。例えば、過去に取得された使用環境に関する情報は用いずに、図９に示した表に従って現在取得した使用環境に関する情報に基づいてモードの切り替えを判断するようにしてもよい。
【０１０３】
ステップＳ１３０において、制御部１６０が調光機能と視力補正機能のそれぞれについてモードの切り替えが必要と判断したとき、制御部１６０は、前述と同様に、感知部１７０で取得した情報が除外条件に該当しないかどうかをさらに判断する（ステップＳ１４０）。そして、制御部１６０が除外条件に該当しないと判断したとき、制御部１６０は、調光機能と視力補正機能のそれぞれのモードを切り替える（ステップＳ１５０）。
たとえば、ステップＳ１３０において、制御部１６０が前述の判断７を行った場合、制御部１６０は、調光機能のモードについてはオンからオフに切り替え、視力補正機能のモードについてはオフからオンに切り替える（図９の中央下欄→左上欄）。その後、処理は、ステップＳ１６０に遷移する。
【０１０４】
一方、ステップＳ１３０において、制御部１６０が調光機能と視力補正機能のそれぞれについてモードの切り替えが不要と判断したとき、又はステップＳ１４０において、制御部１６０が、感知部１７０で取得した情報が除外条件に該当すると判断したとき、処理はステップＳ１７０に遷移する。
たとえば、ステップＳ１３０において、制御部１６０が前述の判断８を行った場合、制御部１６０は、調光機能と視力補正機能のそれぞれについてモードの切り替えは行わず、調光機能オンモードを維持し、視力補正機能オフモードを維持する（図９の中央下欄→右下欄）。その後、処理は、ステップＳ１６０に遷移する。
【０１０５】
ステップＳ１５０、Ｓ１６０およびＳ１７０は、前述とそれぞれ同様である。
【０１０６】
本使用例（１）〜（４）によれば、制御部１６０が、使用環境に関する情報に基づいてモードの切り替えが必要と判断した際にモードの切り替えを行うので、使用者の入力操作を軽減しつつ、使用環境に合ったモードの切り替えを行うことができる。
【０１０７】
なお、（４）の使用例では、調光機能と視力補正機能の両方のモードを、外的環境と使用者の活動状態に応じてそれぞれ切り替える例を説明したが、これに限定されず、前述の（１）や（２）の使用例と同様に、調光機能と視力補正機能のうち一方のみのモードを、外的環境と使用者の活動状態に応じて切り替えてもよい。
【０１０８】
（アイウェアの変形使用例１）
前述の使用例では、いずれもステップＳ１３０において、制御部１６０がモードの切り替えが必要と判断した際に、制御部１６０がオートでモードを切り替える例を示したが、制御部１６０がオートでモードを切り替えるか、使用者による入力操作の受け付けによってマニュアルでモードを切り替えるかを選択できるようにしてもよい。
【０１０９】
図１０は、本実施形態において、制御部１６０がモードの切り替えが必要と判断したときに、オートでモードを切り替えるか、使用者による入力操作の受け付けによってマニュアルでモードを切り替えるかを選択可能としたアイウェア１００の動作例を示すフローチャートである。図１０は、ステップＳ１４０とステップＳ１５０との間に、ステップＳ１８０、Ｓ１９０およびＳ２００をさらに含む以外は図６と同様である。
【０１１０】
即ち、ステップＳ１４０において、制御部１６０が除外条件に該当しないと判断したとき、制御部１６０は、モードをオートで切り替えるかどうかをさらに判断する（ステップＳ１８０）。具体的には、予め定められた、オートでモードを切り替える条件が満たされているときは、オートでモードを切り替えるため、モードを「調光機能オン・オートモード」へ設定する（ステップＳ１５０）。
【０１１１】
一方、上記条件が満たされていないときは、使用者にモード切り替えの要否の確認をする（ステップＳ１９０）。ステップＳ１９０においては、制御部１６０は、使用者に「切り替え先モード名」と「切り替えの要否を選択させるためのユーザインターフェース（ＵＩ）」を提示する。これらの「切り替え先モード名」や「切り替えの要否を選択させるためのユーザインターフェース（ＵＩ）」の提示は、たとえば、アイウェア１００の通信部１９２を介して送信される情報を受信したスマートフォンなどのディスプレイを介して行うことができる（図１２参照）。
【０１１２】
そして、制御部１６０は、使用者によるモード切り替えの承諾があるかどうかを判断する（ステップＳ２００）。使用者によるモード切り替えの承諾があったとき、モードの切り替えを行う（ステップＳ１５０）。使用者によるモード切り替えの承諾がなかったとき、処理は、ステップＳ１６０に遷移する。
【０１１３】
本変形使用例１によれば、制御部１６０がモードの切り替えが必要と判断した際に、常にオートでモードの切り替えを行うのではなく、使用者の入力操作を受け付けてモードの切り替えを行うので、使用者のニーズに合った的確なモードの切り替えを行うことができる。
【０１１４】
なお、本変形使用例１では、ステップＳ１８０において、モードの切り替えをオートで行うかマニュアルで行うかの選択を、制御部１６０が行う例を示したが、これに限定されず、使用者の入力受け付けやデフォルト設定などによって行ってもよい。
【０１１５】
（アイウェアの変形使用例２）
前述の使用例（３）および（４）、ならびに変形使用例１では、感知部１７０で取得した情報に基づいて、２つの光学特性について変化可能なモードと変化不可能なモードとをそれぞれ独立に切り替える例を示したが、一方の光学特性についての変化可能なモードと変化不可能なモードとの切り替え結果に基づいて、他方の光学特性についての変化可能なモードと変化不可能なモードとの切り替えを行ってもよい。
【０１１６】
図１１は、本実施形態において、使用環境に応じて、一方の光学特性のモード切り替え結果に基づいて、他方の光学特性のモードの切り替えを行うときのアイウェア１００の動作例を示すフローチャートである。図１１は、ステップＳ１５０とステップＳ１６０との間にステップＳ２１０およびＳ２２０をさらに含む以外は、図６と同様である。
【０１１７】
即ち、ステップＳ１５０において、制御部１６０が、２つの光学特性のうち一方についてモードの切り替えを行うと、制御部１６０は、当該一方の光学特性のモード切り替え結果に連動して、他方の光学特性についてのモードの切り替えが必要かどうかをさらに判断する（ステップＳ２１０）。具体的には、一方の光学特性のモードの切り替え結果が所定の条件を満たしたときに、他方の光学特性についてのモードの切り替えが必要であると判断する。
【０１１８】
ステップＳ２１０において、他方の光学特性についてのモードの切り替えが必要であると判断したとき、制御部１６０は、他方の光学特性についてのモードの切り替えを行う（ステップＳ２２０）。一方、ステップＳ２１０において、他方の光学特性についてのモードの切り替えが必要ではないと判断したとき、処理は、ステップＳ１６０に遷移する。
【０１１９】
たとえば、ステップＳ１５０において、視力補正機能のモードが機能オフモードから機能オンモードに切り替えられたとき、ステップＳ２１０において、制御部１６０は、使用環境に関する情報と調光機能の現在のモードを取得し、調光機能についてモードの切り替えを行うかどうかを判断する。
調光機能の現在のモードが機能オンモードである場合、ステップＳ２２０において、制御部１６０は、たとえばアイウェアが屋内にあるときは、調光機能を機能オフモードに切り替えてもよい。
調光機能の現在のモードが機能オフモードである場合、ステップＳ２２０において、制御部１６０は、たとえばアイウェアが屋外にあるときは、調光機能を機能オンモードに切り替えてもよい。調光機能を機能オンモードに切り替えるとき、電気制御型レンズ１５０の透過率は、たとえばアイウェアが屋内にあるときは、屋外にあるときよりも手元がよく見えたほうがよいことから、屋内と判別された場合の「調光機能オンモード」においては、屋外と判別された場合の「調光機能オンモード」に比べて、透過率が高くなるように調整される。また、視力補正機能がオンである場合に「調光機能オンモード」を設定する場合は、視力補正機能がオフである場合に比べて、透過率が高くなるように調整することが好ましい。
【０１２０】
また、ステップＳ１５０において、視力補正機能のモードが機能オンモードから機能オフモードに切り替えられたとき、ステップＳ２１０において、制御部１６０は、調光機能についてモードの切り替えを行うかどうかを判断する。
調光機能の現在のモードが機能オンモードである場合、ステップＳ２２０において、制御部１６０は、調光機能を機能オフモードに切り替えて、スリープモードへ移行するか、電源をオフにする。これにより、視力補正機能のモードがオフに切り替えられたことをトリガとして、結果として、調光機能もオフに切り替えられることになる。なお、ステップＳ１５０において、視力補正機能のモードがオンからオフに切り替えられた後、加速度センサ等の出力に基づいて、所定時間アイウェアが動かされていないことを検知した場合に、調光機能を機能オフモードに切り替えて、スリープモードへ移行するか、電源をオフにするようにしてもよい。
【０１２１】
また、ステップＳ１５０において、調光機能のモードがオフからオンに切り替えられたとき、ステップＳ２１０において、制御部１６０は、視力補正機能についてモードの切り替えを行うかどうかを判断する。
例えば、視力補正機能の現在のモードが機能オンモードである場合、ステップＳ２２０において、制御部１６０は、アイウェアが屋外にあると判別されたときは、視力補正機能を機能オフモードに切り替える。調光機能のモードが切り替えられたことをトリガとして、不必要な視力補正機能をオフにし省電力を図ることができる。
【０１２２】
また、ステップＳ１５０において、調光機能のモードがオンからオフに切り替えられたとき、制御部１６０は、視力補正機能についてモードの切り替えを行うかどうかを判断する。
視力補正機能の現在のモードが機能オフモードである場合、ステップＳ２２０において、制御部１６０は、たとえば使用者が屋内にいるときは、視力補正機能を機能オンモードに切り替えてもよい。
視力補正機能の現在のモードが機能オンモードである場合、ステップＳ２２０において、制御部１６０は、たとえば、加速度センサ等の出力に基づいて、所定時間アイウェアが動かされていないことを検知した場合に、視力補正機能も機能オフモードに切り替えて、スリープモードへ移行するか、電源をオフにしてもよい。
【０１２３】
本変形使用例２によれば、制御部１６０が、一方の光学特性についてモードの切り替えを行ったときに、当該モードの切り替え結果に連動して、他方の光学特性についてのモードの切り替えを行うので、使用者の操作負担を軽減しつつ、使用環境に合った的確なモードの切り替えを行うことができる。
【０１２４】
なお、本変形使用例２では、制御部１６０が、一方の光学特性についての、変化可能なモードと変化不可能なモードとの切り替え結果に基づいて、他方の光学特性についての、変化可能なモードと変化不可能なモードとの切り替えを行う例を示したが、これに限定されず、他方の光学特性をオートで変化可能なモード（パラメータ調整をオートで行うモード）と、他方の光学特性をマニュアルで変化可能なモード（パラメータ調整をマニュアルで行うモード）とを切り替えてもよい。
【０１２５】
たとえば、ステップＳ１５０において、視力補正機能のモードがオフからオンに切り替えられたとき、ステップＳ２２０において、調光機能の現在のモードが「透過率をオートで変化可能なオンモード」（調光機能オン・オートモード）である場合、使用者が屋内にいるときは、調光はマニュアル調整できるほうが望まれることから、制御部１６０は、調光機能のモードを「透過率をマニュアルで変化可能なオンモード」（調光機能オン・マニュアルモード）に切り替えてもよい。
【０１２６】
また、ステップＳ１５０において、視力補正機能のモードがオンからオフに切り替えられたとき、ステップＳ２２０において、調光機能の現在のモードが「透過率をオートで変化可能なオンモード」（調光機能オン・オートモード）である場合、使用者が屋外にいるときは、調光はマニュアル調整できることが望まれる場合もあることから、制御部１６０は、調光機能のモードを「透過率をマニュアルで変化可能なオンモード」（調光機能オン・マニュアルモード）に切り替えてもよい。
【０１２７】
また、ステップＳ１５０において、調光機能のモードがオフからオンに切り替えられたとき、ステップＳ２２０において、視力補正機能の現在のモードが「屈折率をオートで変化可能なオンモード」（視力補正機能オン・オートモード）である場合、制御部１６０は、使用者が屋外にいることから、視力補正はマニュアル調整できるほうが望まれることから、視力補正機能のモードを「屈折率をマニュアルで変化可能なオンモード」（視力補正機能オン・マニュアルモード）に切り替えてもよい。
【０１２８】
なお、本実施形態では、いずれもステップＳ１３０において、制御部１６０がモードの切り替えが必要でないと判断したときや、ステップＳ１４０において、制御部１６０が除外条件に該当すると判断したときでも、使用者による入力操作を受け付けるステップＳ１７０を実行する例を示したが、これに限定されず、ステップＳ１７０を省略してもよい。
【０１２９】
また、本実施形態では、いずれもステップＳ１３０において、制御部１６０がモードの切り替えが必要であると判断したときに、制御部１６０が、感知部１７０で取得した情報が除外条件に該当するかどうかを判断するステップＳ１４０をさらに実行する例を示したが、これに限定されず、ステップＳ１４０を省略してもよい。
【０１３０】
また、本実施形態では、いずれもステップＳ１３０において、制御部１６０が、モードの切り替え時（光学特性を変化可能なモードに切り替える時）に、光学特性を変化させる例を示したが、これに限定されず、モードの切り替えを行わないときでも、現在のモードが光学特性を変化可能なモードであるときは、常に、感知部１７０で取得した情報に基づいて、光学特性を変化させてもよい。
【０１３１】
また、本実施形態では、いずれもステップＳ１５０において、制御部１６０が、切り替え後のモードが機能オンモードであるときに、光学特性の調整を２段階（オン・オフ）で行う例を示したが、これに限定されず、例えば図５に示されるような多段階で調整してもよい。
【０１３２】
また、本実施形態では、いずれもステップＳ１５０において、第１の光学特性の機能オンモードを選択したときの、第１の光学特性を変化させるときのパターン（調整度合い）が１つである例を示したが、これに限定されず、例えば図５に示されるように、第１の光学特性を変化させるパターンは複数あってもよい。即ち、第１の光学特性の機能オンモード（好ましくは機能オン・オートモード）は、光学モジュールの第１の光学特性を変化させるときのパターンが異なる複数のモードを含んでいてもよい。そして、第１の光学特性の機能オンモードのときに、制御部１６０は、感知部１７０で取得した情報に基づいて、上記複数のモードのうちいずれかのモードへ切り替えてもよい。たとえば、調光機能オンモードは、透過率を変化させるパターンが異なる複数のモード（屋内モード：淡色調光機能オンモード、屋外モード：濃色調光機能オンモード等）を含んでいてもよい。
【０１３３】
また、本実施形態では、いずれも光学特性を変化可能なモードを選択したときに、光学特性をオートで変化させるかマニュアルで変化させるかを選択するステップＳ１５３を有する例を示したが、これに限定されず、ステップＳ１５３を省略してもよい。たとえば、ステップＳ１５２において、切り替え後のモードが光学特性を変化可能なモードであると判断したとき、制御部１６０は、感知部１７０で取得した情報に基づいてオートで光学特性を変化させてもよい。
【０１３４】
また、本実施形態では、いずれもステップＳ１３０において制御部１６０がモードの切り替えが必要と判断したときの条件（使用環境に関する情報）と、切り替え後のモードとを対応付けて記憶するステップを有しない例を示したが、これに限定されず、制御部１６０がモードの切り替えが必要と判断したときの条件（使用環境に関する情報）と切り替え後のモードの内容とを対応付けて記憶部に記録するステップをさらに実行してもよい（後述する図１２参照）。
【０１３５】
また、本実施形態では、アイウェア１００が、図３に示される機能構成を採る例を示したが、これに限定されず、他の機能構成を採りうる。
【０１３６】
図１２は、アイウェアの機能構成の他の例を表すブロック図である。図１２に示すように、アイウェア１００は、他のデバイスと通信可能な通信部１９２、制御部１６０がモードの切り替えを行った後、モードを切り替えたときの条件（使用環境に関する情報）と切り替え後のモードの種類とを対応付けて記憶する記憶部１９４、ならびに、ディスプレイなどの表示装置またはＬＥＤランプなどの機能の変更などを通知する外部の通知装置と有線または無線で接続可能な出力部１９６などを有していてもよい。アイウェアが備える各機能部は、バスＢにより接続される。
【０１３７】
このとき、たとえば記憶部１９４は、前述の実施形態において、制御部１６０がモードの切り替えを行った後、モードを切り替えたときの条件（使用環境に関する情報）と切り替え後のモードの種類とを対応付けて記憶してもよい。そして、オート機能によるモードの切り替えを行う際に、制御部１６０が、当該記憶部で記憶した判断条件を読み込んで、それに基づいてモードの切り替えを行うかどうかを判断できるようにしてもよい。
【０１３８】
また、本実施形態では、電気制御型レンズ１５０が２つの電気活性部（屈折率可変層１５３０と透過率可変層１５７０）を有する例を示したが、これに限定されず、いずれか一方のみを有してもよいし、３つ以上の電気活性部を有してもよい。
【０１３９】
また、本実施形態では、制御部１６０が変化させる光学特性が１または２種類である例を示したが、これに限定されず、３種類以上であってもよい。
【０１４０】
また、本実施形態では、電気制御により光学特性が変化する光学モジュールの例として電気制御型レンズを挙げて説明していたが、これに限定されず、投射部１９８と、被投射部（たとえば透明板）（不図示）とを有し、画像および映像などを投射可能な光学モジュールなどであってもよい。
【０１４１】
２０１７年０３月１３日出願の特願２０１７−０４７４１０の日本出願に含まれる明細書、図面および要約書の開示内容は、すべて本願に援用される。
【産業上の利用可能性】
【０１４２】
本発明のアイウェアは、使用環境に応じて、光学特性を変化させるかどうかのモードの切り替えが可能である。そのため、本発明のアイウェアは、当分野におけるアイウェアの普及および進歩に貢献することが期待される。
【符号の説明】
【０１４３】
１００  アイウェア
１１０  フロント
１１２  リム
１１４  ブリッジ
１２０ａ、１２０ｂ  テンプル
１３０  フレーム
１４０  入力部
１５０  電気制御型レンズ
１５０ａ  第１の領域
１５０ｂ  第２の領域
１６０  制御部
１６５  ＣＰＵユニット
１７０  感知部
１８０  電源
１９２  通信部
１９４  記憶部
１９６  出力部
１９８  投射部
１５１０  第１の透明基板
１５２０  第１の透明電極
１５３０  屈折率可変層
１５３５  接着層
１５４０  第２の透明電極
１５５０  第２の透明基板
１５６０  第３の透明電極
１５７０  透過率可変層
１５８０  第４の透明電極
１５９０  第３の透明基板
【図１】
2018168570.tif 000003
【図２】
2018168570.tif 000004
【図３】
2018168570.tif 000005
【図４】
2018168570.tif 000006
【図５】
2018168570.tif 000007
【図６】
2018168570.tif 000008
【図７】
2018168570.tif 000009
【図８】
2018168570.tif 000010
【図９】
2018168570.tif 000011
【図１０】
2018168570.tif 000012
【図１１】
2018168570.tif 000013
【図１２】
2018168570.tif 000014
【国際調査報告】
2018168570.tif 000015
2018168570.tif 000016
2018168570.tif 000017
2018168570.tif 000018